(57)【特許請求の範囲】
【請求項１】
走行車の後部に運転席１３を配置し、該運転席１３の後方位置に、左右方向へ伸延する施肥装置を配設した乗用田植機において、
施肥装置は、走行車の後部に固定した固定側施肥部１３１と、該固定側施肥部の左右側部に左右一対の可動側施肥部１３３を水平方向に回動自在に枢支し、
該可動側施肥部１３３は、固定側施肥部１３１の左右側方位置に略同一直線状に配置した使用位置と、前方へ折り返した収納位置との間で、枢支ピン１７７を中心に回動させ位置変更可能とすると共に、
前記可動側施肥部１３３の端部上部には、前面に傾斜板９５を固設し、一方、固定側施肥部１３１の下部に、固定側連結片８０を前上方に傾斜状に突設し、
該固定側連結片８０の傾斜角度は、前記傾斜板９５の傾斜角度と等しく形成し、前記可動側施肥部１３３を前方に回動して収納位置に配置すると、側面視で傾斜板９５と固定側連結片８０が同一傾斜で直線状となるように構成し、
該傾斜板９５と固定側連結片８０の上面に係合部材を構成し、該係合部材によって斜め方向に係合したことを特徴とする田植機の施肥装置。
【請求項２】
請求項１記載の田植機の施肥装置において、係合部材を、一側に配置するフック９４と、該フック９４に係合される係合体を揺動させるアーム９２とより成るファスナー９０によって構成したことを特徴とする田植機の施肥装置。
【請求項３】
請求項１記載の田植機の施肥装置において、固定側施肥部１３１の左右側部に左右一対の可動側施肥部１３３を、水平方向に回動自在に枢支する連結片に、可動側施肥部１３３の水平回動を規制するストッパー１７０を設けたことを特徴とする請求項１又は請求項２記載の田植機の施肥装置。
【発明の詳細な説明】
【０００１】
【発明の属する技術分野】
本発明は、８条や１０条等の多条植えと同時に施肥を行う田植機の施肥装置に関する。
【０００２】
【従来の技術】
従来から、乗用田植機の一形態として、施肥作業と苗の植付作業とを同時に行えるように、走行部の後上方に施肥装置を配設すると共に、走行部の後方に植付部を吊設していた。そして、施肥装置と植付部は、それぞれ多数条、例えば１０条の施肥兼植付け作業も行えるようにしている。
この場合、施肥装置は、１０条分の施肥部を左右方向に配置して形成すると共に、中央部の６条分の施肥部は、走行部の後部に固定して固定側施肥部となし、該固定側施肥部の左右側方に、それぞれ２条分の施肥部を連結体を介して連結して可動側施肥部とないている。
しかも、各可動側施肥部は、それぞれ固定側施肥部の左右側方位置で、かつ、これと略同一直線上に配置した使用位置と、連結体を用いて固定側施肥部より前方へ折り曲げるように回動した収納位置との間で、位置変更自在としている。
【０００３】
【発明が解決しようとする課題】
しかし、上記の乗用田植機では、可動側施肥部の収納位置は、可動側施肥部を固定側施肥部より前方へ略直角に折り曲げた位置や、１８０°前方に折り曲げた収納位置としていた。前方へ略直角に折り曲げた収納位置は、適当な固定手段が設けられないので、悪路等を走行した際に振動を受けて、特に、連結体との連結部分が損傷される不具合がある。
また、１８０°前方に折り曲げた収納位置においては、可動側施肥部の前面に接合面を形成し、可動側施肥部を１８０°前方に折り曲げた位置に、固定側施肥部の前面に形成した接合面とを当接し、ノブネジ等を用いて螺合する構成となっていた。
この接合面を螺合する構成では、可動側施肥部を１８０°回動させた収納位置に単に保持することはできるが、可動側施肥部の上下方向の振動を受けることができず、連結体にガタや緩みが生じて、接合面同志を螺合することが困難になることが予想される。そこで、可動側施肥部を収納位置で可動側施肥部下部を走行車のフロワー後部にノブネジ等により螺合し、二点で固定する構成も提案されているが、固定操作が煩雑となるものとなっていた。
その為に、収納位置での固定操作が容易で、尚且つ可動側施肥部の上下方向の揺れ等を抑えて保持することのできる構成のものが望まれている。
【０００４】
【課題を解決するための手段】
本発明の解決しようとする課題は以上の如くであり、次に該課題を解決するための手段を説明する。
請求項１においては、走行車の後部に運転席１３を配置し、該運転席１３の後方位置に、左右方向へ伸延する施肥装置を配設した乗用田植機において、
施肥装置は、走行車の後部に固定した固定側施肥部１３１と、該固定側施肥部の左右側部に左右一対の可動側施肥部１３３を水平方向に回動自在に枢支し、
該可動側施肥部１３３は、固定側施肥部１３１の左右側方位置に略同一直線状に配置した使用位置と、前方へ折り返した収納位置との間で、枢支ピン１７７を中心に回動させ位置変更可能とすると共に、前記可動側施肥部１３３の端部上部には、前面に傾斜板９５を固設し、一方、固定側施肥部１３１の下部に、固定側連結片８０を前上方に傾斜状に突設し、該固定側連結片８０の傾斜角度は、前記傾斜板９５の傾斜角度と等しく形成し、前記可動側施肥部１３３を前方に回動して収納位置に配置すると、側面視で傾斜板９５と固定側連結片８０が同一傾斜で直線状となるように構成し、該傾斜板９５と固定側連結片８０の上面に係合部材を構成し、該係合部材によって斜め方向に係合したものである。
請求項２においては、請求項１記載の係合部材を一側に配置するフック９４と、該フック９４に係合される係合体を揺動させるアーム９２とより成るファスナー９０によって構成したものである。
請求項３においては、請求項１に記載の田植機の施肥装置において、固定側施肥部１３１の左右側部に左右一対の可動側施肥部１３３を、水平方向に回動自在に枢支する連結片に、可動側施肥部１３３の水平回動を規制するストッパー１７０を設けたものである。
【０００５】
【発明の実施の形態】
次に、本発明の実施の形態を説明する。
図１は苗載台の折畳み機構を備えた田植機の全体側面図、図２は同じく平面図、図３は植付ケース及びフロート等の折畳み状態を示す展開平面図、図４は施肥装置の後面図、図５は施肥装置の支持枠体を示す平面図、図６は収納状態の施肥装置の左右片側の平面図部分断面図、図７は本発明の固定構成を備えた施肥装置の支持枠体の部分平面図、図８は同じく収納状態の支持枠体の部分平面図、図９は収納状態に固定した施肥装置の側面断面図、図１０は可動施肥部の左側面図、図１１は施肥装置の接合面を示す平面断面図、図１２は収納状態の施肥装置の接合面の平面断面図、図１３は施肥装置の接合面の側面図、図１４は施肥ユニットの側面断面図、図１５は施肥ホースのエアタンクへの取付け構成を示す側面図一部断面図、図１６は同じく斜視図、図１７はステーの後面図、図１８はエアタンクに施肥ホースを取り付けた状態を示す側面図、図１９は導入口の側面断面図、図２０は導入口の後面図である。
【０００６】
以下、本発明の実施例を図面に基づいて詳述する。
図１、図２に示す作業者が搭乗する走行車１のように、エンジン２を車体フレーム３前部上方に搭載させ、ミッションケース４前方にフロントアクスルケース５を介して走行用前輪６を支持させると共に、前記ミッションケース４の後部にリヤアクスルケース７を連設し  前記リヤアクスルケース７に走行用後輪８を支持させる。
そして、前記エンジン２等を覆うボンネット９両側に、予備苗載台１０を取付けると共に、ステップ１１を介して作業者が搭乗する車体カバー１２によって前記ミッションケース４等を覆い、前記車体カバー１２上部に運転席１３を取付け、その運転席１３の前方で前記ボンネット９後部に操向ハンドル１４を設ける。
【０００７】
また、図中１５は１０条植え用の苗載台１６並びに複数の植付爪１７などを具備する植付部であり、前高後低の合成樹脂製の前傾式苗載台１６を下部レール１８及びガイドレール１９を介して植付ケース２０に左右往復摺動自在に支持させると共に、一方向に等速回転させるロータリケース２１を前記植付ケース２０に支持させ、該ケース２１の回転軸芯を中心に対称位置に一対の爪ケース２２・２２を配設し、その爪ケース２２・２２先端に植付爪１７・１７を取付ける。
また、前記植付ケース２０の前側にヒッチ台２３を設け、該ヒッチ台２３をヒッチ機構２４に連結させ、トップリンク２５及びロワーリンク２６を含むリンク機構２７後部にヒッチ機構２４を取付け、前記リンク機構２７を介して走行車１後部に連結させ、前記リンク機構２７を介して植付部１５を昇降させる昇降シリンダ２８をロワーリンク２６に連結させ、前記前後輪６・８を走行駆動して移動すると同時に、左右に往復摺動させる苗載台１６から一株分の苗を植付爪１７によって取出し、連続的に苗植え作業を行うように構成する。
【０００８】
また、図中２９は走行変速レバー、３０は植付昇降兼作業走行変速用副変速レバー、３１は植付け感度調節レバー、３２は主クラッチペダル、３３・３３は左右ブレーキペダル、３４は均平用センターフロート、３５は均平用サイドフロート、３６は１０条用の側条施肥部である。
【０００９】
前記苗載台１６及び植付ケース２０など、植付部１５の左右外側の２条分を機体内側に折畳み自在に設けるもので、前記苗載台１６は左右最外側の２条分の苗載台１６を分割して折畳み自在な分割苗載台１６ｂに形成し、機体中央の６条用の固定苗載台１６ａに、並行折畳み機構３７を介して分割苗載台１６ｂを連結させて、固定苗載台１６ａの作用面上方に略平行で、且つ、２段に分割苗載台１６ｂを折畳みするように設けて、折畳み時苗載台１６の左右全幅を略６条分巾と等しくするように構成している。
【００１０】
図３にも示す如く、前記植付ケース２０の左右最外側の２条分を爪ケース２２、フロート３５、植付探さ調節軸、苗取出板など関連部品と一体に折畳み自在に設けている。
前記植付ケース２０間を連結する伝動パイプ４０と、調節軸及び苗取出板において、左右最外側の植付ケース２０とこの内側の植付ケース２０との略中央より若干外側でこれらパイプ４０ａ・４０ｂ・４０ｂ、調節軸、苗取出板などを固定側と分割側とに分割する。
固定側の中央６条分の３つの植付ケース２０ａの後端間を、各ブラケット４１ａを介し支点フレーム４２で連結させ、分割側の左右外側各２条分１つの植付ケース２０ｂ後端に、ブラケット４１ｂを介し固設する回動フレーム４３と、前記支点フレーム４２とを回動支点軸４４を介し連結させている。
前記回動支点軸４４は、支点フレーム４２左右両端の苗載台１６の６条巾位置左右外側の、各２つの植付ケース２０ａ・２０ｂ問の略中央に配置され、前高後低状に略４５度に傾斜状に設けられている。
固定側の中央６条分３つの植付ケース２０ａに対し、左右の各２条分１つの植付ケース２０ｂ・２０ｂを、回動支点軸４４を介し略１８０度内側に回動させて、中央固定側の植付ケース２０ａの後方で、折畳みされた分割苗載台１６ｂより後方位置に分割側の植付ケース２０ｂを折畳みするように構成している。
【００１１】
また、各フロート３４・３５・・・には、作溝体８８・８８を取付け、各フロート３４・３５・・・が圃場面上を滑走する際に、各作溝体８８・８８により１０条の溝を形成して、各溝中に後述する側条施肥装置３６より圧送される肥料を落下させている。
【００１２】
また、前記運転席１３後方には１０条用の側条施肥装置３６が配設されている。該側条施肥装置３６は、図４、図５に示すように、車体フレーム３の後部に立設した支持機枠１３０上に載設し、該支持機枠１３０上に、６条分の固定側施肥部１３１を固設している。
該固定側施肥部１３１の左右側部に、それぞれ連結体１３２・１３２を介して左右一対の２条分の可動側施肥部１３３・１３３と、右側の可動側施肥部１３３の右側端部に取付けたブロワ１３４とを具備している。
【００１３】
そして、前記可動側施肥部１３３・１３３は、固定側施肥部１３１の左右側方位置で、かつ、これと略同一直線上に配置した使用位置と、図１、図６に示すように、前方へ折り返して固定側施肥部１３１と略平行状態に配置した可動側施肥部１３３・１３３の先端部が運転席１３後部の側方に位置する。
従って、収納状態となった側条施肥装置３６の可動側施肥部１３３・１３３とに干渉されることなく、作業者は運転席１３に搭乗したり降車することができる。
【００１４】
更に、収納状態となった側条施肥装置３６の左右幅は、走行車１の左右外側幅内に収まるようにしている。
従って、収納状態となった側条施肥装置３６は障害物と当接する前に走行車１の左右側面が当接し、側条施肥装置３６が保護される。
【００１５】
また、前記施肥ユニット１３６について、固定側施肥部１３１に設けた施肥ユニット１３６を用いて説明する。図１４に示すように、前記第２、第３横フレーム１４０・１４１に、繰出し体１４２を取付け、該繰出し体１４２の上端に施肥ホッパ１４３を連通連設する。
一方、前記繰出し体１４２の下端に三又連結体１４４に形成した上部連結口１４４ａを連結パッキン１４５を介して着脱自在に連結し、三又連結体１４４に形成した後部連結口１４４ｃに施肥ホース１４６の基端部を連結している。
三又連結体１４４の前部に、嵌合口１４４ｂが形成され、該嵌合口１４４ｂに前記エアタンク１３７内に挿入した状態で、保持されている導入管１５０が接合され、ブロワ１３４の駆動によってエアタンク１３７から該導入管１５０を介して三又連結体１４４内にエアが導入され、繰出し体１４２から繰り出された肥料等を施肥ホース１４６側に圧送する。
前記嵌合口１４４ｂの外周面には、フランジ部１４４ｄが形成され、後述する取付ブラケット５２に螺合される。
【００１６】
そして、前記三又連結体１４４は、支持機枠１３０上に突設したステー１４７に、取付けブラケット１４８を介して着脱自在に取付けている。ステー１４７に形成した門型の挿通孔１４７ａ中に導入管１５０後部が嵌合される。
該導入管１５０は、図１９、図２０に示すように、側面視略「く」字状に形成され、導入管１５０前部を後述したエアタンク１３７に開口する後述する連結孔１３７ａ内に挿入されている。
また、前記導入管１５０後部は、門型の前記挿通孔１４７ａの形状に合わせたガイド枠１５０ａを形成し、三又連結体１４４前部の嵌合口１４４ｂを下方よりガイドし、導入管１５０と連結孔１３７ａとを連結し易くしている。
【００１７】
また、６条分の前記固定側施肥部１３１には、６個の三又連結体１４４・１４４・・・が配置され、可動側施肥部１３３・１３３には各２個の三又連結体１４４・１４４が配置されている。左右隣接する２個の三又連結体１４４・１４４を、図１５、図１６に示すように、同一の取付ブラケット１４８を介してステー１４７に着脱自在に取付けている。
該取付ブラケット１４８は、平面視「コ」字状に形成し、閉塞面に図示せぬ孔を開口し、三又連結体１４４前部の嵌合口１４４ｂを挿入すると共に、フランジ部１４４ｄ前面を取付ブラケット１４８閉塞面に当接し、ボルト１４９を用いて取付ブラケット１４８とフランジ部１４４ｄとを螺合している。
前記取付ブラケット１４８の左右側面の外側には、取付具１５５・１５５を固設している。該取付具１５５を後方斜下方に傾斜状に配し取付け方向を斜めにしている。
更に、前記取付ブラケット１４８の閉塞面の左右中央位置に挿入ボルト１５７が配設され、該挿入ボルト１５７頭部を取付ブラケット１４８の前面より一定の間隔を開けた前方に位置されている。
【００１８】
一方、前記ステー１４７には、門型の挿通孔１４７ａを開口し、該挿通孔１４７ａの左右側方に上下方向に、長径を有するボルトガイド用の長孔１４７ｂ・１４７ｂを開口し、取付ブラケット１４８の取付け時に長孔１４７ｂ・１４７ｂ内にボルト１４９・１４７が挿入される。
更に、前記ステー１４７の左右二個の挿通孔１４７ａの間位置には、挿入ガイド孔１４７ｃが開口されている。該挿入ガイド孔１４７ｃは、上下に長い溝と該溝に下部に前記挿入ボルト１５７が挿入される大径の孔を開口している。
更に、ステー１４７の後面には、前記取付ブラケット１４８の取付け位置に合わせて、係止片１５６・１５６を突設し、該係止片１５６に前記取付具１５５が係止される。
【００１９】
このように構成し、前記取付ブラケット１４８には、フランジ部１４４ｄを用いて二個の三又連結体１４４・４４が螺合され、該取付ブラケット１４８はメンテナンス若しくは収納時以外は、ステー１４７の後面に取付けられている。
そして、該取付ブラケット１４８をステー１４７に取り付けるには、先ず、取付ブラケット１４８の中央の挿入ボルト１５７を、ステー１４７の挿入ガイド孔１４７ｃの大径の孔に挿入し、ステー１４７に対する取付ブラケット１４８の左右中心位置を合わせている。
そして、挿入ボルト１５７を挿入ガイド孔１４７ｃの大径の孔に挿入し、取付ブラケット１４８前面とステー１４７の後面とを当接する。
この時、取付ブラケット１４８は、通常の配設位置より下方にあり、前記三又連結体１４４前部の嵌合口１４４ｂが、導入管１５０後部のガイド枠１５０ａ下部に位置し、また、三又連結体１４４を螺合したボルト１４９が長孔１４７ｂの下部に挿入される。
【００２０】
そして、前記取付ブラケット１４８をステー１４７後面に当接させながら上方に移動させると、挿入ボルト１５７を螺合する軸が挿入ガイド孔１４７ｃ内にガイドされながら上端部まで移動し、各ボルト１４９が各長孔１４７ｂ内にガイドされながら上端部まで移動する。
同様に、前記三又連結体１４４前部がガイド枠１５０ａにガイドされながら上方に移動し、前記嵌合口１４４ｂと導入管１５０とが連通状態となる。
そして、この位置で、図１８に示すように、前記取付具１５５を係止片１５６に係止することで、嵌合口１４４ｂと導入管１５０とが連通された状態に保持される。
また、前記取付具１５５を係止片１５６との係止する方向を後方斜下方に傾斜状に配したことで、上下方向の振動を受けることができ、取付ブラケット１４８が安定して保持される。
【００２１】
そして、前記可動側施肥部１３３のエアタンク１６１の後方にステー１４７が配置され、二個の三又連結体１４４・１４４を配した取付ブラケット１４８が前述した取付け構成によって、ステー１４７の後面に取付けられている。
【００２２】
次に、前記固定側施肥部１３１に配置するエアタンク１３７の支持構成について説明する。
図４、図５に示すように、支持機枠１３０上に左右一対の支持板体１３８・１３８を立設し、両支持板１３８・１３８間に左右方向に伸延する三本の第１、第２、第３横フレーム１３９・１４０・１４１を貫通状態に横架して形成している。
該第１、第２、第３横フレーム１３９・１４０・１４１の左右側端に、左右一対の板状のエアタンク支持体１５１・１５０を取付けて、両エアタンク支持体１５１・１５０間に横架状に、かつ、着脱自在にエアタンク１３７を取り付けている。前記エアタンク１３７の両端部には、エア漏れ防止用のパッキン９８・９８が配置されている。
前記エアタンク１３７は、左右方向に伸延する円形パイプ状に形成し、後部周壁に６個の連結孔１３７ａ・１３７・・・を左右方向に一定の間隔を開けて形成している。
【００２３】
また、前記可動側施肥部１３３・１３３は、前記固定側施肥部１３１と基本的構成を同じくしており、固定側施肥部１３１のエアタンク支持体１５１外側側面に連結体１３２を介して連結した支持枠体１６０と、同支持枠体１６０に支持させた２条分の施肥ユニット１３６っと、各施肥ユニット１３６に施肥搬送用エアを送るエアタンク１６１とを具備している。
【００２４】
そして、支持枠体１６０は、図４、図５に示すように、内外側エアタンク支持体１６２・１６３間に左右方向に伸延する３本の第１、第２、第３横フレーム１６４・１６５・１６６を横架して形成している。
【００２５】
内外側エアタンク支持体１６２・１６３には、それぞれエアタンク１６１の端部を嵌入する嵌入孔１６４・１６９を形成しており、固定側施肥部１３１側に位置する内側のエアタンク支持体１６２の嵌入孔１６４は、パッキン９８の外径と略同径の円形に形成している。
また、進行方向に向かって右側の支持枠体１６０に設けた外側のエアタンク支持体１６３の嵌入孔１６９は、パッキン９８の内径と略同一径の円形に形成する一方、左側に支持枠体１６０に設けた外側にエアタンク支持体１６３には嵌入孔１６８を形成していない。更に、各エアタンク１６１の後部周壁に２個の連結孔１６１ａ・１６１ａを開口している。
【００２６】
そして、右側の支持枠体１６０に設けた外側のエアタンク支持体１６３の嵌入孔１６８には、ブロワ１３４の吹出部１３４ａを着脱自在に、かつ、パッキン９８を介して密封状態に接続すると共に、左側に支持枠６０に設けた外側のエアタンク支持体１６３によりエアタンク１６１の外側端を閉塞して、ブロワ１３４から供給される肥料搬送用エアが円滑かつ確実に右側のエアタンク１６１から、エアタンク１３７、左側のエアタンク１６１へと圧送される。
【００２７】
次に、本実施例におけるは、前記エアタンク支持体１５１に支持されるエアタンク１３７端部と、エアタンク支持体１６２に支持されるエアタンク１６１の端部との接合面について説明する。
【００２８】
前記エアタンク支持体１５１・１５１には、図５、図１１〜図１３に示すように、嵌入孔１５９・１５９を開口している。該嵌入孔１５９は、開口面積が大きく形成され、可動側のエアタンク１６１のパッキン９９等が挿入される。さらに該嵌入孔１５９は、側面視略四角形状に形成され、各角部を円弧状にボルト挿入部１５９ａ・１５９ａ・１５９ａ・１５９ａを形成している。
各嵌入孔１５９の内面前後縁部にそれぞれ押えブラケット１５２・１５２を取付けている。該押えブラケット１５２を、側面視略Ｃ型に形成し、ボルト挿入部１５９ａ・１５９ａの内側を被装する。該押えブラケット１５２の内周面にエアタンク１３７端部のパッキン９８の端部を嵌合し、エアタンク１３７を支持すると共に、略Ｃ型の開放部よりエアタンク１３７端部を取り外すようにしている。
【００２９】
また、前記パッキン９８は、図１１、図１２に示す平面断面視において、パッキン９８の外側端部を内周側に向けて「コ」字状に屈曲し、エアタンク１３７端部を嵌合している。
【００３０】
また、前記パッキン９８の外側端部には、パッキン９８内径と略等しい孔を有する、略環状の押え体１２０を当接している。略環状の該押え体１２０の直径方向に螺合部を形成し、該押え体１２０を略四角形状に形成した嵌入孔１５９に対して対角線上に配置し、本実施例では、図１３に示す紙面上で、右上方のボルト挿入部１５９ａと左下方のボルト挿入部１５９ａとを被装し、残りのボルト挿入部１５９ａ・１５９ａを開放し、エアタンク１６１固定用の後述する取付ボルト１６８の頭部が挿入されている。
【００３１】
そして、前記押え体１２０の両端部を、取付ボルト１２１・１２１を用いて押えブラケット１５２に螺合し、両端部の押え体１２０・１２０によりパッキン９８を介してエアタンク１３７の左右側端部を押し付け状態に取り付けている。
【００３２】
一方、前記エアタンク支持体１６２には、エアタンク１６１が挿入される、嵌入孔１６４を開口している。該嵌入孔１６４には、図１３に示す可動側施肥部１３３の前方への回動時に、紙面上の右下方と左上方に前記取付ボルト１２１・１２１頭部の逃がし孔１６５・１６５を開口している。
また、各嵌入孔１６４の内面前後縁部にそれぞれ押え体連結ブラケット１６６・１６６を取付けている。
該押え体連結ブラケット１６６を、側面視略Ｃ型に形成し、該押え体連結ブラケット１６６の内周面にパッキン９９の外周部を嵌合し、該パッキン９９を嵌入孔１６４内に保持している。
【００３３】
前記パッキン９９は、外側端部を外径を徐々に広げたラッパ状に形成したものを使用している。
即ち、図１１、図１２に示すように、パッキン９９は、エアタンク１６１端部の外周を被装する外側パッキン９９ａと、エアタンク１６１端部の内周を被装する内側パッキン９９ｂより形成される。
前記外側パッキン９９ａ端部を中心側に屈曲し、内側パッキン９９ｂの前後中央部を接合し、外側パッキン９９ａと内側パッキン９９ｂとを一体的に形成している。前記内側パッキン９９ｂの端部は、図１２に示すように可動側施肥部１３３を前方に回動した使用位置で、内側パッキン９９ｂの端部は外側に向かうに連れて外径を徐々に大きくなるラッパ状に形成している。
【００３４】
また、前記外側パッキン９９ａの外側端部には、嵌入孔１６４より固定側施肥部１３１側に突出した位置に押さえ体１６７が外嵌される。該押さえ体１６７の孔より外側（図１２の紙面上の左側）に、内側パッキン９９ｂのラッパ状の端部を突出する。
前記押え体１６７は、図１３に示す如く、側面視で略環状の形成され、直径方向に螺合部を形成し、前記逃がし孔１６５・１６５の配設した向きに対して直角方向に押え体１６７を配置し、取付ボルト１６８・１６８を用いて押え体連結ブラケット１６６と押え体１６７との間に、パッキン９９とエアタンク支持体１６２とを挟装するように螺合する。
【００３５】
このように構成し、図１１に示すように、前記可動側施肥部１３３を作業位置に回動すると、固定側である前記押え体１２０を螺合した取付ボルト１２１・１２１頭部が逃がし孔１６５・１６５内に挿入され、可動側である前記押え体１６７を螺合した取付ボルト１６８・１６８頭部が嵌入孔１５９のボルト挿入部１５９ａ・１５９ａ内に挿入される。よって、前記取付ボルト１２１・１２１とエアタンク支持体１６２、及び取付ボルト１６８・１６８とエアタンク支持体１５１とが干渉されることがない。また、固定側の前記嵌入孔１５９内に可動側のエアタンク１６１のパッキン１９９等が挿入され、エアタンク支持体１６２とエアタンク支持体１５１とを当接し、エアタンク１６１とエアタンク１３７とが連結される。
この時に、前記可動側のエアタンク１６１用のパッキン９９の、押え体１６７より突出したラッパ状の内側パッキン９９ｂ端部は、固定側のエアタンク１３７の押え体１２０に当接され、ラッパ状の内側パッキン９９ｂ端部の外径が大きくなるように押し広げられ、押え体１６７と押え体１２０との間に内側パッキン９９ｂの外側端部が挟装され、エアタンク１３７端部とエアタンク１６１端部とを完全に密封した状態で連結される。
【００３６】
次に、前記可動側施肥部１３３と固定側施肥部１３１とを連結した前記連結体１３２について説明する。
図１１、図１２に示すように、前記連結体１３２は、固定側施肥部１３１に設けたエアタンク支持体１５１の外側面に、側面視「コ」字状の固定側枢支連結片１７５を外側前方へ向けて突設する。
一方、前記可動側施肥部１３３に設けた内側のエアタンク支持体１６２の内側面に、先端二又状の可動側枢支連結片１７６を外側前方へ向けて突設している。該可動側枢支連結片１７６の先端部を固定側枢支連結片１７５の先端部に、上下方向に軸芯を向ける枢支ピン１７７により枢支、連結している。
【００３７】
また、前記「コ」字状に形成した固定側枢支連結片１７５の閉塞面の内側には、板状のストッパー１７０を固設し、可動側枢支連結片１７６が枢支ピン１７７を中心に１８０°回動した位置で、可動側枢支連結片１７６の枢支ピン１７７側をストッパー１７０に当接し、可動側枢支連結片１７６の回動を規制している。  よって、前記枢支ピン１７７を中心に、可動側施肥部１３３を水平方向前方に回動し、１８０°前方に回動し、それ以上に回動が規制された位置を収納位置とし、可動側施肥部１３３を水平方向後方に回動し、固定側施肥部１３１側に当接した位置を使用位置とし、１８０°で位置変更自在としている。
【００３８】
また、図７に示すように、右側の前記可動側施肥部１３３のエアタンク支持体１６３後部には、枢支ステー１７１が形成され、該枢支ステー１７１にアーム１７２を介してブロワ１３４が水平方向に回動自在に枢支されている。
よって、使用位置にある右側の可動側施肥部１３３に対して、ブロワ１３４を後方に１８０°回動し、その後に可動側施肥部１３３を前方に１８０°折り返し、収納している。この収納位置のブロワ１３４は、側条施肥部３６より上方に突出させることなく、走行車１の車幅内に収められる。
【００３９】
次に、本発明における前記可動側施肥部１３３の使用位置と収納位置への固定構成について説明する。
固定構成としてフック９４と該フック９４に係合される係合体としてのリング９１、該リング９１基部を支点軸を中心に回動させるアーム９２等より構成される係合部材としてのファスナー９０が用いられている。
図７に示すように、固定側施肥部１３１に設けた、第３横フレーム１４１の外側端部の後面に、フック９４を固設している。
一方、前記可動側施肥部１３３に設けた第３横フレーム１６６の内側端部の後部に基台９３を固設し、該基台９３の固定側施肥部１３１側にアーム９２一端を枢支し、該アーム９２途中部にリング９１を枢支している。
【００４０】
よって、前記可動側施肥部１３３を使用位置に回動し、アーム９２を固定側施肥部１３１側に回動し、リング９１をフック９４の係止位置の側方に配置し、その後に、アーム９２を逆方向（可動側施肥部１３３側）に回動し、アーム９２を基台９３に係合すると、リング９１が可動側施肥部１３３側に移動し、リング９１がフック９４に係止され、可動側施肥部１３３を使用位置に強固に固定する。
【００４１】
また、図７〜図１０に示すように、前記可動側施肥部１３３のエアタンク支持体１６３の内側面には、可動側連結片７９を固設する。可動側施肥部１３３を使用位置に配置すると、該可動側連結片７９は前方（図１０における右側）に突設される。
該可動側連結片７９の前面を前方斜下方に傾斜状に形成し、前面に傾斜板９５を固設し、該傾斜板９５の前下部に前記ファスナー９０の基台９３を固設し、該基台９３下部側にアーム９２を枢支し、該アーム９２にリング９１を前後に回動自在に枢支する。
【００４２】
一方、図９に示すように、前記固定側施肥部１３１に設けた第１横フレーム１３９の左右途中部に固定側連結片８０を固設し、該固定側連結片８０を前上方に傾斜状に突設し、該固定側連結片８０上部を補強板８１を介して第二フレーム１４０に固定されている。該可動側連結片７９の上部にフック９４を形成している。
【００４３】
また、該固定側連結片８０の傾斜角度は、前記可動側連結片７９前面の傾斜板９５の傾斜角度と等しく形成されている。よって、前記可動側施肥部１３３を前方に回動して収納位置に配置すると、図８に示す平面視で、傾斜板９５と固定側連結片８０及びフック９４とが前後直線状に位置し、図９に示す側面視に示すように、傾斜板９５と固定側連結片８０及びフック９４とが同一傾斜で直線状となっている。
【００４４】
そして、前記ストッパー１７０によって、可動側施肥部１３３の回動が規制された収納位置において、前記可動側連結片７９上に配したアーム９２を後下方（固定側施肥部１３１側）に回動し、リング９１端部を固定側連結片８０上のフック９４の直下方に位置している。
そして、前記アーム９２を逆方向（可動側施肥部１３３側）に回動して基台９３に固定すると、リング９１が可動側施肥部１３３側に斜め上方に引き上げられ、リング９１がフック９４に係止され、リング９１に生じた引き上げ力によってリング９１とフック９４とが強固に係合されるので、可動側施肥部１３３が水平方向の前後両方向に回動することが不能となり、可動側施肥部１３３が収納位置に安定して支持される。
【００４５】
即ち、前記可動側施肥部１３３が収納位置にファスナー９０を用いて固定すると、ファスナー９０を介して両連結片７９・８０が連結され、固定側施肥部１３１と連結体１３２と可動側施肥部１３３とにより、平面視にて閉ループが形成される。
この閉ループを構成する、連結体１３２は、可動側枢支連結片１７６が固定側枢支連結片１７５のストッパー１７０に当接した位置で回動不能に固定され、さらに、前記ファスナー９０によって、可動側連結片７９と固定側連結片８０とが左右及び前後に回動不能に連結され、閉ループの形状を一定に保って固定している。
【００４６】
また、前記閉ループに加えて、可動側枢支連結片１７６と固定側枢支連結片１７５とを傾斜状に配置し、ファスナー９０によって斜め方向の力を受けるようにしており、走行車１が上下に揺れても、可動側施肥部１３３を固定側枢支連結片１７５に対して上下に揺らすことがなく支持している。
【００４７】
なお、前記係合部材は、ファスナー９０に限定するものでなく、受け具と回動突起より構成し、例えば固定側連結片８０上に受け具を配置し、可動側連結片７９上に回動突起を配置し、回動突起を斜め方向に回動させて受け具に係合し、可動側施肥部１３３を収納位置に固定することもできる。
【００４８】
【発明の効果】
本発明は以上の如く構成したので、次のような効果を奏するのである。
即ち、請求項１に記載するように、走行車の後部に配した施肥装置を、固定側施肥部と、該固定側施肥部の左右側部に水平方向に回動自在に枢支した左右一対の可動側施肥部より構成し、該可動側施肥部を折り返して固定側施肥部と略平行状態に配置した収納位置とし、可動側施肥部の外側端部上部と、固定側施肥部下部とを傾斜状に配した係合部材によって係合したので、この係合部材によって、可動側施肥部の水平方向への回動を止めると同時に、係合部材を傾斜状に配したことによって、可動側施肥部の上下方向の揺れを押さえることができる。
よって、この可動側施肥部を収納した状態で走行車を悪路等を走行させても、可動側施肥部が固定側施肥部に対して揺れやガタが少なく、安定して支持することができる。
【００４９】
また、請求項２記載の如く、係合部材を一側に配置するフックと、該フックに係合される連結体を揺動させるアームとより成るファスナーによって構成することによって、前記可動側施肥部を収納位置に配し、斜めに配したファスナーによって可動側施肥部の外側端部上部と、固定側施肥部の左右途中部の下部とを係合して、ファスナーのアームによって連結体を斜め上方に引き上げており、この引き上げる力によって、固定側施肥部の下部に配したフックを強固に係合できる。よって、可動側施肥部の上下方向をともなう揺れを確実に受け止めることができ、可動側施肥部を安定して支持することができ、該可動側施肥部を可動側施肥部に枢支する構成が緩みガタ等の不具合を生じることがない。
【００５０】
また、請求項３記載の如く、前記施肥装置において、固定側施肥部の左右側部に左右一対の可動側施肥部を水平方向に回動自在に枢支し、可動側施肥部の水平回動を規制するストッパーを設けたことによって、可動側施肥部を収納位置よりさらに回動させることなく規制できる。そして、係合部材によって、この水平方向の逆方向である使用位置への回動のみを規制すれば良いので、係合部材への負担を低減した安定した支持構成となる。
【図面の簡単な説明】
【図１】苗載台の折畳み機構を備えた田植機の全体側面図である。
【図２】同じく平面図である。
【図３】植付ケース及びフロート等の折畳み状態を示す展開平面図である。
【図４】施肥装置の後面図である。
【図５】施肥装置の支持枠体を示す平面図である。
【図６】収納状態の施肥装置の左右片側の平面図部分断面図である。
【図７】本発明の固定構成を備えた施肥装置の支持枠体の部分平面図である。
【図８】同じく収納状態の支持枠体の部分平面図である。
【図９】収納状態に固定した施肥装置の側面断面図である。
【図１０】可動施肥部の左側面図である。
【図１１】施肥装置の接合面を示す平面断面図である。
【図１２】収納状態の施肥装置の接合面の平面断面図である。
【図１３】施肥装置の接合面の側面図である。
【図１４】施肥ユニットの側面断面図である。
【図１５】施肥ホースのエアタンクへの取付け構成を示す側面図一部断面図である。
【図１６】同じく斜視図である。
【図１７】ステーの後面図である。
【図１８】エアタンクに施肥ホースを取り付けた状態を示す側面図である。
【図１９】導入口の側面断面図である。
【図２０】導入口の後面図である。
【符号の説明】
１  走行車
３６  施肥装置
９０  ファスナー（係合部材）
９１  リング
９２  アーム
９４  フック
１３１  固定側施肥装置
１３３  可動側施肥部
１７０  ストッパー
【図１】
0003628503.tif 000002
【図２】
0003628503.tif 000003
【図３】
0003628503.tif 000004
【図４】
0003628503.tif 000005
【図５】
0003628503.tif 000006
【図６】
0003628503.tif 000007
【図７】
0003628503.tif 000008
【図８】
0003628503.tif 000009
【図９】
0003628503.tif 000010
【図１０】
0003628503.tif 000011
【図１１】
0003628503.tif 000012
【図１２】
0003628503.tif 000013
【図１３】
0003628503.tif 000014
【図１４】
0003628503.tif 000015
【図１５】
0003628503.tif 000016
【図１６】
0003628503.tif 000017
【図１７】
0003628503.tif 000018
【図１８】
0003628503.tif 000019
【図１９】
0003628503.tif 000020
【図２０】
0003628503.tif 000021